(57)【要約】【課題】鍔付きカードがスロット部に表裏逆さまの状態で誤挿入され、そのカードの抜き出しを行う際に、防塵用シャッタの下端がカードの鍔に引っかからないカードコネクタを提供する。【解決手段】カードコネクタ１は、下面前端に両側端からそれぞれ所定距離の範囲を除く範囲に鍔２０２が形成されたカード２０１を受容するスロット部１０を備える。防塵用シャッタ３０の下端には、両側部３３ａ，３３ｂを除く領域であって鍔２０２よりも長い範囲にわたる領域に切欠き３４が形成される。両側部３３ａ，３３ｂのうちの少なくとも一方の側部の先端は、スロット部１０に挿入されたカード２０１の上向き面に接する。切欠き３４の端面には、カード２０１、２１１が表裏逆さまに挿入されその抜き出しを行う場合にカード２０１、２１１の上向き面から突出する鍔２０２、２１２を乗り越えるための傾斜面３４ａが形成される。【選択図】      図６
2007179814.tif 000002
【特許請求の範囲】
【請求項１】
下面前端に両側端からそれぞれ所定距離の範囲を除く範囲に鍔が形成されたカードを受容するスロット部と、該スロット部に受容された前記カードと電気的に接続するコネクタ部と、前記スロット部のカード入口に設けられた防塵用シャッタとを備え、該防塵用シャッタは、上端側に設けられた回動軸が前記スロット部のカード入口の上部に対して回動可能に軸支され、前記カードの未挿入時に前記スロット部を閉鎖するよう付勢され、前記カードの挿入時に前記カードに押圧されて内方に開くようになっているカードコネクタにおいて、
前記防塵用シャッタの下端には、両側部を除く領域であって前記鍔よりも長い範囲にわたる領域に切欠きが形成され、
前記両側部のうちの少なくとも一方の側部の先端が前記スロット部に挿入された前記カードの上向き面に接し、
前記切欠きの端面には、前記カードが表裏逆さまに挿入されその抜き出しを行う場合に前記カードの上向き面から突出する前記鍔を乗り越えるための傾斜面が形成されていることを特徴とするカードコネクタ。
【請求項２】
前記スロット部に挿入された前記カードの上向き面に接する前記両側部のうちの少なくとも一方の側部の先端がＲ面を有していることを特徴とする請求項１記載のカードコネクタ。
【発明の詳細な説明】
【技術分野】
【０００１】
本発明は、下面前端に両側端からそれぞれ所定距離の範囲を除く範囲に鍔が形成されたカードを受容するスロット部のカード入口に防塵用シャッタを備えたカードコネクタに関する。
【背景技術】
【０００２】
近年のパソコンなどの電子機器においては、ＰＣＭＣＩＡなどのＰＣカードの規格が制定されることによって、ＰＣカードが急速な普及を見せている。特に携帯型のパソコンにおいては、ＰＣＭＣＩＡ規格によるＰＣカードを受容するスロット部と、このスロット部に受容したＰＣカードと電気的に接続するコネクタ部とを具備したカードコネクタが一般的に設置されている。
【０００３】
このカードコネクタにあっては、スロット部やコネクタ部内へごみが進入し、コネクタ部にごみが付着してしまうことがあることから、スロット部のカード入口に防塵用シャッタを設置することがある。
従来のこの種の、スロット部のカード入口に防塵用シャッタを設置したカードコネクタとして、例えば、図８乃至図１２に示すものが知られている（特許文献１参照）。図８は、従来例のカードコネクタの平面図である。図９は、図８に示すカードコネクタの正面図である。図１０は、図８に示すカードコネクタの左側面図である。図１１は、図８に示すカードコネクタから防塵用シャッタを取り除いた状態の正面図である。図１２は、カードを引き抜く際における、カードの表面に形成された突起と防塵用シャッタの下端との関係を説明するための説明図である。
【０００４】
図８に示すカードコネクタ１０１は、下段に設けられた第１カードスロット１１１及び上段に設けられた第２カードスロット１１２（図１１参照）を有するスロット部１１０と、コネクタ部１２０とを具備している。第１カードスロット１１１は、ＰＣＭＣＩＡ規格に準拠したタイプＩ、タイプＩＩのカードバス対応のＰＣカード１５０である第１カードを受容し、第２カードスロット１１２は、ＰＣＭＣＩＡ規格に準拠したタイプＩ、タイプＩＩのカードバス対応のＰＣカード１５０である第２カードを受容するようになっている。また、第１カードスロット１１１及び第２カードスロット１１２は、互いに連通しており、第１カードと第２カードの２枚の厚みを持つタイプＩＩＩの第３カードをも受容するようになっている。第２カードスロット１１２の上面のカード入口側（図８における下側）は、金属フレーム１１３により覆われている。
【０００５】
また、コネクタ部１２０は、絶縁性のハウジング１２１と、このハウジング１２１に取り付けられた複数のコンタクト１２２とを備えている。第１カードスロット１１１に受容された第１カード、第２カードスロット１１２に受容された第２カード、及び第３カードのそれぞれは、コンタクト１２２に電気的に接続される。なお、第１カードスロット１１１と第２カードスロット１１２とを仕切る仕切板１１５と、ハウジング１２１の上壁とには、金属製のグランド板１２３が設けられている。各グランド板１２３は、スロット部１１０に受容されたＰＣカード１５０のグランド板１５１（図１２参照）に弾性接触するようになっている。また、各グランド板１２３及びコンタクト１２２は、図８に示す中継基板１２４に接続され、この中継基板１２４は図示しないコネクタを介して図９及び図１０に示す回路基板Ａに接続されるようになっている。
【０００６】
また、スロット部１１０のカード入口には、スロット部１１０やコネクタ部１２０内へのごみの進入を防止するための防塵用シャッタ１３０が備えられている。この防塵用シャッタ１３０は、図１０に示すように、上端側に設けられた１対の回動軸１３１が金属フレーム１１３の両側壁１１４の上部に対して回動可能に軸支され、ＰＣカード１５０の未挿入時にスロット部１１０を閉鎖し、ＰＣカード１５０の挿入時にＰＣカード１５０に押圧されて内方に開くようになっている。そして、１対の回動軸１３１のうちの一方の回動軸１３１の周囲には、図８及び図９に示すように、防塵用シャッタ１３０を常時閉鎖する方向に付勢するねじりコイルばね１３２が巻回されている。
【０００７】
そして、防塵用シャッタ１３０の下端には、図１２に示すように、第１カード及び第２カードであるＰＣカード１５０のグランド板１５１の表面に形成された突起１５２に対応した位置に切欠き１３３が形成されている。このように、防塵用シャッタ１３０の自由端に切欠き１３３を形成することにより、図１２に示すように、第１カードスロット１１１から第１カードであるＰＣカード１５０を引き抜く際に、グランド板１５１の表面に形成された突起１５２と防塵用シャッタ１３０の下端との干渉を回避することができるのである。
【０００８】
なお、図８、図９及び図１１において、符号１４０で示されるものは、いわゆるプッシュプッシュ作用によりＰＣカード１５０を排出するためのイジェクト機構であり、第１カードスロット１１１及び第２カードスロット１１２のそれぞれに対応して上下２段にカードコネクタ１０１の側部に設けられている。
【特許文献１】特開２００３−４５５５３号公報
【発明の開示】
【発明が解決しようとする課題】
【０００９】
ところで、近年においては、その用途の多様化に鑑み、図８乃至図１２に示すカードコネクタ１０１のような防塵用シャッタを設置したカードコネクタに、ＰＣＭＣＩＡに準拠したＰＣカードのみならず、例えば、図１３及び図１４に示すような、エキスプレスカード（Ｅｘｐｒｅｓｓ  Ｃａｒｄ）と呼ばれるＰＣカードと形状の異なるメモリカードを使用する要望がでてきた。図１３は、エキスプレスカードと呼ばれるメモリカードの一例を示し、（Ａ）は表面側から見た斜視図、（Ｂ）は裏面側から見た斜視図である。図１４は、エキスプレスカードと呼ばれるメモリカードの他の例を示し、（Ａ）は表面側から見た斜視図、（Ｂ）は裏面側から見た斜視図である。
【００１０】
図１３に示すメモリカード２０１は、ＰＣＭＣＩＡ規格に準拠したＰＣカードよりも幅狭の矩形形状に形成され、図１３（Ｂ）に示すように、裏面（下面）前端の両側端からそれぞれ所定距離ｄの範囲を除く範囲に所定高さｈの鍔２０２が形成されている。また、図１３（Ａ）に示すように、メモリカード２００の表面後端の両側端からそれぞれ所定距離ｄ1 の範囲を除く範囲に所定高さｈ1 の鍔２０３が形成されている。一方、図１４に示すメモリカード２１１は、ＰＣカードと略同等の幅を有する略矩形状体の前端角部に矩形状の切欠２１３を形成し、切欠２１３を除いた前端側に突出する部分の幅が図１３に示すメモリカード２０１と略同等の幅となっている。そして、図１４（Ｂ）に示すように、メモリカード２１１の裏面（下面）前端の両側端からそれぞれ所定距離ｄの範囲を除く範囲に所定高さｈの鍔２１２が形成されている。また、図１４（Ａ）に示すように、メモリカード２１１の表面後端の両側端からそれぞれ所定距離ｄ2 の範囲を除く範囲に所定高さｈ2 の鍔２１４が形成されている。
【００１１】
ここで、図１３あるいは図１４に示すメモリカード２０１，２１１は、図８乃至図１２に示すカードコネクタ１０１のような防塵用シャッタ１３０を設置したカードコネクタに対し、メモリカード２０１，２１１の前端側から表面を上側にして挿入されるのが適切であるところ、メモリカード２０１，２１１の前端側から裏面を上側にして、即ち表裏逆さまに誤挿入されてしまうことがある。
【００１２】
このように、メモリカード２０１，２１１が誤挿入された場合には、メモリカード２０１，２１１をカードコネクタから抜き出す必要がある。
ここで、図８乃至図１２に示すカードコネクタ１０１と同形態のカードコネクタ１０１’に対し、メモリカード２０１（２１１）が表裏逆さまに誤挿入され、その抜き出しを行う場合を、図１５を参照して説明する。図１５は、図８乃至図１２に示すカードコネクタと同形態のカードコネクタに対し、図１３あるいは図１４に示すメモリカードが表裏逆さまに誤挿入され、その抜き出しを行う際の防塵用シャッタの作用を説明するための説明図である。
【００１３】
図１５においては、メモリカード２０１（２１１）が、先ず、メモリカード２０１（２１１）の前端側から裏面を上側にして（鍔２０２（２１２）を上側にして）、即ち表裏逆さまに、下段の第１カードスロット１１１’に誤挿入される。このとき、防塵用シャッタ１３０’の下端は、常時閉鎖する方向にねじるコイルばね（図示せず）により付勢されているから、メモリカード２０１（２１１）の上向き面（カードの裏面が逆さまにされているので上向き面となる）に接触している。そして、このメモリカード２０１（２１１）は、そのまま下段の第１カードスロット１１１’から図１５における矢印方向に抜き出される。この際に、防塵用シャッタ１３０’の下端は、図１５に示すように、メモリカード２０１（２１１）の上向き面に接触しつつ鍔２０２（２１２）に引っかかる。防塵用シャッタ１３０’の下端には、切欠き１３３’が形成されているものの、この切欠き１３３’は、第１カード及び第２カードを構成するＰＣカードのグランド板の表面に形成された突起に対応した位置に形成されているものであり、メモリカード２０１（２１１）に設けられた鍔２０２（２１２）への引っかかりを回避することができない。防塵用シャッタ１３０’の下端がメモリカード２０１（２１１）の鍔２０２（２１２）に引っかかると、防塵用シャッタ１３０’が損傷してしまうことがある。
【００１４】
このような防塵用シャッタ１３０’の下端がメモリカード２０１（２１１）の鍔２０２（２１２）に引っかかる不都合は、メモリカード２０１（２１１）が上段の第２カードスロット１１２’に表裏逆さまの状態で誤挿入され、その抜き出しを行う際にも発生しうる。
従って、本発明は上述の問題点に鑑みてなされたものであり、その目的は、鍔付きカードがスロット部に表裏逆さまの状態で誤挿入され、そのカードの抜き出しを行う際に、防塵用シャッタの下端がカードの鍔に引っかからないカードコネクタを提供することにある。
【課題を解決するための手段】
【００１５】
上記問題を解決するため、本発明のうち請求項１に係るカードコネクタは、下面前端に両側端からそれぞれ所定距離の範囲を除く範囲に鍔が形成されたカードを受容するスロット部と、該スロット部に受容された前記カードと電気的に接続するコネクタ部と、前記スロット部のカード入口に設けられた防塵用シャッタとを備え、該防塵用シャッタは、上端側に設けられた回動軸が前記スロット部のカード入口の上部に対して回動可能に軸支され、前記カードの未挿入時に前記スロット部を閉鎖するよう付勢され、前記カードの挿入時に前記カードに押圧されて内方に開くようになっているカードコネクタにおいて、前記防塵用シャッタの下端には、両側部を除く領域であって前記鍔よりも長い範囲にわたる領域に切欠きが形成され、前記両側部のうちの少なくとも一方の側部の先端が前記スロット部に挿入された前記カードの上向き面に接し、前記切欠きの端面には、前記カードが表裏逆さまに挿入されその抜き出しを行う場合に前記カードの上向き面から突出する前記鍔を乗り越えるための傾斜面が形成されていることを特徴としている。
【００１６】
また、本発明のうち請求項２に係るカードコネクタは、請求項１記載のカードコネクタにおいて、前記スロット部に挿入された前記カードの上向き面に接する前記両側部のうちの少なくとも一方の側部の先端がＲ面を有していることを特徴としている。
【発明の効果】
【００１７】
本発明のうち請求項１に係るカードコネクタによれば、下面前端に両側端からそれぞれ所定距離の範囲を除く範囲に鍔が形成されたカードを受容するスロット部を備え、防塵用シャッタの下端には、両側部を除く領域であって前記鍔よりも長い範囲にわたる領域に切欠きが形成され、前記両側部のうちの少なくとも一方の側部の先端が前記スロット部に挿入された前記カードの上向き面に接し、前記切欠きの端面には、前記カードが表裏逆さまに挿入されその抜き出しを行う場合に前記カードの上向き面から突出する前記鍔を乗り越えるための傾斜面が形成されているので、鍔付きカードがスロット部に表裏逆さまの状態で誤挿入され、そのカードの抜き出しを行う際に、防塵用シャッタの下端の切欠きの端面に形成された傾斜面が鍔を乗り越える。これにより、防塵用シャッタの下端がカードの鍔に引っかからず、防塵用シャッタの損傷を防止できるカードコネクタを提供することができる。
【００１８】
また、本発明のうち請求項２に係るカードコネクタによれば、請求項１記載のカードコネクタにおいて、前記スロット部に挿入された前記カードの上向き面に接する前記両側部のうちの少なくとも一方の側部の先端がＲ面を有しているので、カードの抜き出しを行う際に、カードを滑らかかつ円滑に抜き出すことができる。
【発明を実施するための最良の形態】
【００１９】
次に本発明の実施形態を図面を参照して説明する。図１は本発明に係るカードコネクタの実施形態を示し、（Ａ）は平面図、（Ｂ）は正面図である。図２は、図１のカードコネクタを示し、（Ａ）は左側面図、（Ｂ）は右側面図である。図３は図１のカードコネクタの底面図である。図４は、防塵用シャッタを示し、（Ａ）は平面図、（Ｂ）は正面図、（Ｃ）は左側面図である。図５は、図４の防塵用シャッタを示し、（Ａ）は図４（Ｂ）における５Ａ−５Ａ線に沿う断面図、（Ｂ）は図４（Ｂ）における５Ｂ−５Ｂ線に沿う断面図、（Ｃ）は図４（Ｂ）における５Ｃ−５Ｃ線に沿う断面図である。
【００２０】
また、図６は、第２カードスロットから表裏逆さまに誤挿入されたメモリカードを引き抜く際における防塵用シャッタの動作を説明するための説明図である。図７は、第１カードスロットから表裏逆さまに誤挿入されたメモリカードを引き抜く際における防塵用シャッタの動作を説明するための説明図である。
図１乃至図３において、カードコネクタ１は、スロット部１０と、コネクタ部２０とを備えている。以下、図１（Ａ）において、左方を「左」、右方を「右」という。
【００２１】
ここで、スロット部１０は、下段に設けられた第１カードスロット１１及び上段に設けられた第２カードスロット１２（図２、図６及び図７参照）を有している。第１カードスロット１１と第２カードスロット１２とは、図示しない仕切板により仕切られている。そして、第１カードスロット１１は、ＰＣＭＣＩＡ規格に準拠したタイプＩ、タイプＩＩのカードバス対応のＰＣカード（図示せず）を受容し、第２カードスロット１２は、エキスプレスカードと呼ばれる図１３に示すメモリカード２０１又は図１４に示すメモリカード２１１を受容するようになっている。ＰＣカード及びメモリカード２０１（２１１）は、図１（Ａ）において下側から上側に向けて、図６及び図７において右側から左側に向けて、第１カードスロット１１及び第２カードスロット１２にそれぞれ挿入される。
【００２２】
そして、第２カードスロット１２の上面は、第１金属フレーム１３により覆われ、その一方、第１カードスロット１１の下面は、第２金属フレーム１４により覆われている。また、第２カードスロット１２を覆う第１金属フレーム１３のカード入口側（図１（Ａ）における下側）には、第３金属フレーム１５が取り付けられている。
また、コネクタ部２０は、スロット部１０に対してカード挿入方向奥側に配置され、絶縁性のハウジング２１と、このハウジング２１に取り付けられた複数のコンタクト２２とを備えている。これらコンタクト２２は、第１カードスロット１１に対応する下段側と第２カードスロット１２に対応する上段側とにそれぞれ複数列状に配置されている。そして、第１カードスロット１１に受容されたＰＣカードは、下段側に配置された複数列状のコンタクト２２に電気的に接続され、その一方、第２カードスロット１２に受容されたメモリカード２０１（２１１）は、上段側に配置された複数列状のコンタクト２２に電気的に接続されるようになっている。また、コンタクト２２は、中継基板２３に接続され、この中継基板２３は、図２（Ａ），（Ｂ）に示すように、コネクタ２４を介して図示しない回路基板に接続されるようになっている。
【００２３】
また、スロット部１０のカード入口には、スロット部１０やコネクタ部２０内へのごみの進入を防止するための防塵用シャッタ３０が備えられている。この防塵用シャッタ３０は、図１（Ｂ）に示すように、スロット部１０のカード入口側全体をほぼ覆う略矩形状平板で構成され、図４（Ａ），（Ｂ），（Ｃ）に示すように、上端側に１対の回動軸３１を備えている。この防塵用シャッタ３０は、図１乃至図３、図６及び図７に示すように、上端側に設けられた１対の回動軸３１が第３金属フレーム１５の両側壁１６の上部に対して回動可能に軸支され、ＰＣカード及びメモリカード２０１（２１１）の未挿入時にスロット部１０を閉鎖し、ＰＣカード及び/ 又はメモリカード２０１（２１１）の挿入時にこれらカードに押圧されて内方（図６及び図７における左方）に開くようになっている。そして、１対の回動軸３１のうちの左方（図１（Ａ）における左方）の回動軸３１の周囲には、防塵用シャッタ３０を常時閉鎖する方向に付勢するねじりコイルばね３２が巻回されている。また、防塵用シャッタ３０の左側部には、図４（Ｂ）に示すように、ストッパ３６が突設されている。このストッパ３６は、図１（Ｂ）に示すように、防塵用シャッタ３０がスロット部１０を閉鎖するときに第３金属フレーム１５の側壁１６の所定部分に当接して防塵用シャッタ３０の閉鎖方向の移動を規制するようになっている。
【００２４】
そして、防塵用シャッタ３０の下端には、図４（Ｂ）に示すように、該下端の左側部３３ａ及び右側部３３ｂを除く領域であって、メモリカード２０１及び２１１に設けられた鍔２０２及び２１２よりも長い範囲にわたる領域に切欠き３４が形成されている。また、防塵用シャッタ３０の左側部３３ａ及び右側部３３ｂの先端は、ＰＣカードが第１カードスロット１１に挿入されたときのＰＣカードの両側部の上向き面に接するようになっている。また、防塵用シャッタ３０の左側部３３ａの先端は、図１３に示すメモリカード２０１が第２カードスロット１２に正規に挿入されたときのメモリカード２０１の左側部の上向き面に接触するようになっている。更に、防塵用シャッタ３０の左側部３３ａの先端は、図６及び図７に示すように、図１３に示すメモリカード２０１が第２カードスロット１２あるいは第１カードスロット１１に表裏逆さまに誤挿入されたときのメモリカード２０１の左側部の上向き面に接触するようになっている。また、防塵用シャッタ３０の左側部３３ａ及び右側部３３ｂの先端は、図１４に示すメモリカード２１１が第２カードスロット１２に正規に挿入されたときのメモリカード２１１の両側部の上向き面に接触するようになっている。メモリカード２１１は、メモリカード２０１よりも幅広に形成されているので、防塵用シャッタ３０の左側部３３ａ及び右側部３３ｂの双方の先端が、メモリカード２１１の両側部の上向き面に接触するのである。また、防塵用シャッタ３０の左側部３３ａ及び右側部３３ｂの先端は、図１４に示すメモリカード２１１が第２カードスロット１２あるいは第１カードスロット１１に表裏逆さまに挿入されたときのメモリカード２１１の両側部の上向き面に接触するようになっている。
【００２５】
そして、防塵用シャッタ３０の切欠き３４の端面には、図６及び図７に示すように、図１３に示すメモリカード２０１が第２カードスロット１２あるいは第１カードスロット１１に表裏逆さまに誤挿入されその抜き出しを行う際に、メモリカード２０１の上向き面から突出する鍔２０２を乗り越えるための傾斜面３４ａが形成されている。また、この傾斜面３４ａは、図１４に示すメモリカード２１１が第２カードスロット１２あるいは第１カードスロット１１に表裏逆さまに誤挿入されその抜き出しを行う際に、メモリカード２１１の上向き面から突出する鍔２０２をも乗り越えるようになっている。
【００２６】
また、防塵用シャッタ３０の左側部３３ａ及び右側部３３ｂの先端は、図５乃至図７に示すように、Ｒ面３５で形成されている。
なお、図１乃至図４において、符号４０で示されるものは、いわゆるプッシュプッシュ作用によりＰＣカード及びメモリカード２０１（２１１）を排出するためのイジェクト機構であり、第１カードスロット１１及び第２カードスロット１２のそれぞれに対応して上下２段にカードコネクタ１の右側部に設けられている。
【００２７】
次に、このように構成されたカードコネクタ１の作用について説明する。
先ず、ＰＣカードを第１カードスロット１１に挿入する際の作用について説明する。
カードコネクタ１にＰＣカード及びメモリカード２０１、２１１が挿入されていない場合には、図１乃至図３に示すように、防塵用シャッタ３０はスロット部１０を閉鎖している。
【００２８】
そして、この状態で、スロット部１０の第１カードスロット１１にＰＣカードを挿入すると、防塵用シャッタ３０は、挿入されたＰＣカードに押圧されてストッパ３６が側壁１６の所定部分に当接している状態から内方（図７における矢印Ｒ方向と同一の方向）に回動してスロット部１０の内方に退避する。この際に、防塵用シャッタ３０の左側部３３ａ及び右側部３３ｂの先端は、ＰＣカードの上向き面に接する。そして、挿入されたＰＣカードを更に押し込むと、ＰＣカードはコネクタ部２０のコンタクト２１に電気的に接続される。
【００２９】
次に、図１３に示すメモリカード２０１を第２カードスロット１２に正規に挿入する際の作用について説明する。
先ず、カードコネクタ１にＰＣカード及びメモリカード２０１、２１１が挿入されていない状態で、スロット部１０の第２カードスロット１２に図１３に示すメモリカード２０１を挿入すると、防塵用シャッタ３０は、挿入されたメモリカード２０１に押圧されてストッパ３６が側壁１６の所定部分に当接している状態から内方（図６における矢印Ｒ方向と同一の方向）に回動してスロット部１０の内方に退避する。この際に、防塵用シャッタ３０の左側部３３ａの先端は、メモリカード２０１の左側部の上向き面に接触する。そして、挿入されたメモリカード２０１を更に押し込むと、メモリカード２０１はコネクタ部２０のコンタクト２１に電気的に接続される。
【００３０】
また、図１４に示すメモリカード２１１を第２カードスロット１２に正規に挿入する際の作用について説明する。
先ず、カードコネクタ１にＰＣカード及びメモリカード２０１、２１１が挿入されていない状態で、スロット部１０の第２カードスロット１２に図１４に示すメモリカード２１１を挿入すると、防塵用シャッタ３０は、挿入されたメモリカード２１１に押圧されてストッパ３６が側壁１６の所定部分に当接している状態から内方（図６における矢印Ｒ方向と同一の方向）に回動してスロット部１０の内方に退避する。この際に、防塵用シャッタ３０の左側部３３ａ及び右側部３３ｂの先端は、メモリカード２１１の両側部の上向き面に接触する。そして、挿入されたメモリカード２１１を更に押し込むと、メモリカード２１１はコネクタ部２０のコンタクト２１に電気的に接続される。
【００３１】
次に、ＰＣカードを第１カードスロット１１から抜き出す際の作用について説明する。
第１カードスロット１１からＰＣカードを抜き出す際には、防塵用シャッタ３０の左側部３３ａ及び右側部３３ｂの先端がＰＣカードの上向き面に接している。そして、ＰＣカードの抜き出しが終了すると、防塵用シャッタ３０は、ストッパ３６が側壁１６の所定部分に当接するまで外方（図７における矢印Ｒ方向と反対方向）に回動する。これにより、防塵用シャッタ３０はスロット部１０を閉じ、スロット部１０の内部及びコネクタ部１０へのごみの進入を防止する。
【００３２】
また、第２カードスロット１２に正規に挿入された図１３に示すメモリカード２０１を抜き出す際の作用について説明すると、防塵用シャッタ３０の左側部３３ａの先端はメモリカード２０１の上向き面に接している。そして、メモリカード２０１の抜き出しが終了すると、防塵用シャッタ３０は、ストッパ３６が側壁１６の所定部分に当接するまで外方（図６における矢印Ｒ方向と反対方向）に回動する。これにより、防塵用シャッタ３０はスロット部１０を閉じ、スロット部１０の内部及びコネクタ部１０へのごみの進入を防止する。
【００３３】
更に、第２カードスロット１２に正規に挿入された図１４に示すメモリカード２１１を抜き出す際の作用について説明すると、防塵用シャッタ３０の左側部３３ａ及び右側部３３ｂの先端はメモリカード２１１の上向き面に接している。そして、メモリカード２１１の抜き出しが終了すると、防塵用シャッタ３０は、ストッパ３６が側壁１６の所定部分に当接するまで外方（図６における矢印Ｒ方向と反対方向）に回動する。これにより、防塵用シャッタ３０はスロット部１０を閉じ、スロット部１０の内部及びコネクタ部１０へのごみの進入を防止する。
【００３４】
次に、図１３に示すメモリカード２０１を第２カードスロット１２に表裏逆さまに誤挿入しそして抜き出す際の作用について図６を参照して説明する。
カードコネクタ１にＰＣカード及びメモリカード２０１、２１１が挿入されていない状態で、スロット部１０の第２カードスロット１２に図１３に示すメモリカード２０１を表裏逆さまに誤挿入すると、防塵用シャッタ３０は、挿入されたメモリカード２０１に押圧されてストッパ３６が側壁１６の所定部分に当接している状態から内方（図６における矢印Ｒ方向と同一の方向）に回動してスロット部１０の内方に退避する。この際に、防塵用シャッタ３０の左側部３３ａの先端は、メモリカード２０１の左側部の上向き面に接触し、メモリカード２０１の上向き面から突出する鍔２０２が防塵用シャッタ３０の切欠き３４を越えて切欠き３４の端面に形成された傾斜面３４ａよりも内方に位置する。
【００３５】
そして、表裏逆さまに誤挿入されたメモリカード２０１を抜き出す際には、防塵用シャッタ３０の左側部３３ａの先端がメモリカード２０１の左側部の上向き面に接するとともに、メモリカード２０１の上向き面から突出する鍔２０２の背面側（図６における右側）の上角部が、図６に示すように、防塵用シャッタ３０の切欠き３４の端面に形成された傾斜面３４ａに当接する。このとき、メモリカード２０１を抜き出す力Ｆ１に対して防塵用シャッタ３０を図６における矢印Ｒ方向に回動させる分力Ｗ１が発生し、防塵用シャッタ３０が図６における矢印Ｒ方向に回動し、防塵用シャッタ３０の下端の切欠き３４の端面に形成された傾斜面３４ａが鍔２０２を乗り越える。このため、防塵用シャッタ３０の下端がメモリカード２０１の鍔２０２に引っかからず、防塵用シャッタ３０の損傷を防止できるカードコネクタ１とすることができる。そして、メモリカード２０１の抜き出しが終了すると、防塵用シャッタ３０は、ストッパ３６が側壁１６の所定部分に当接するまで外方（図６における矢印Ｒ方向と反対方向）に回動する。
【００３６】
また、図１３に示すメモリカード２０１を第１カードスロット１１に表裏逆さまに  誤挿入しそして抜き出す際の作用について図７を参照して説明する。
カードコネクタ１にＰＣカード及びメモリカード２０１、２１１が挿入されていない状態で、スロット部１０の第１カードスロット１１に図１３に示すメモリカード２０１を表裏逆さまに誤挿入すると、防塵用シャッタ３０は、挿入されたメモリカード２０１に押圧されてストッパ３６が側壁１６の所定部分に当接している状態から内方（図７における矢印Ｒ方向と同一の方向）に回動してスロット部１０の内方に退避する。この際に、防塵用シャッタ３０の左側部３３ａの先端は、メモリカード２０１の左側部の上向き面に接触し、メモリカード２０１の上向き面から突出する鍔２０２が防塵用シャッタ３０の切欠き３４を越えて切欠き３４の端面に形成された傾斜面３４ａよりも内方に位置する。
【００３７】
そして、表裏逆さまに誤挿入されたメモリカード２０１を抜き出す際には、防塵用シャッタ３０の左側部３３ａの先端がメモリカード２０１の左側部の上向き面に接するとともに、メモリカード２０１の上向き面から突出する鍔２０２の背面側の上角部が、図７に示すように、防塵用シャッタ３０の切欠き３４の端面に形成された傾斜面３４ａに当接する。このとき、メモリカード２０１を抜き出す力Ｆ２に対して防塵用シャッタ３０を図７における矢印Ｒ方向に回動させる分力Ｗ２が発生し、防塵用シャッタ３０が図７における矢印Ｒ方向に回動し、防塵用シャッタ３０の下端の切欠き３４の端面に形成された傾斜面３４ａが鍔２０２を乗り越える。このため、防塵用シャッタ３０の下端がメモリカード２０１の鍔２０２に引っかからず、防塵用シャッタ３０の損傷を防止できるカードコネクタ１とすることができる。そして、メモリカード２０１の抜き出しが終了すると、防塵用シャッタ３０は、ストッパ３６が側壁１６の所定部分に当接するまで外方（図７における矢印Ｒ方向と反対方向）に回動する。
【００３８】
ここで、防塵用シャッタ３０の下端に形成する切欠き３４の深さをより深く設定し、表裏逆さまに誤挿入されたメモリカード２０１を第１カードスロット１１あるいは第２カードスロット１２から抜き出す際に、メモリカード２０１の上向き面から突出する鍔２０２の背面のいずれかの部分（上角部ではない）が、防塵用シャッタ３０の切欠き３４の端面に形成された傾斜面３４ａの上角部に当接するようにすることもできる。しかし、このようにすると、防塵用シャッタ３０が図６及び図７における矢印Ｒ方向に回動することができず、防塵用シャッタ３０の下端の切欠き３４の端面に形成された傾斜面３４ａが鍔２０２を乗り越えられないので、メモリカード２０１の上向き面から突出する鍔２０２の背面側の上角部が、防塵用シャッタ３０の切欠き３４の端面に形成された傾斜面３４ａに当接するようにした。
【００３９】
更に、図１４に示すメモリカード２１１を第２カードスロット１２に表裏逆さまに誤挿入しそして抜き出す際の作用について説明する。
カードコネクタ１にＰＣカード及びメモリカード２０１、２１１が挿入されていない状態で、スロット部１０の第２カードスロット１２に図１４に示すメモリカード２１１を表裏逆さまに誤挿入すると、防塵用シャッタ３０は、挿入されたメモリカード２１１に押圧されてストッパ３６が側壁１６の所定部分に当接している状態から内方（図６における矢印Ｒ方向と同一の方向）に回動してスロット部１０の内方に退避する。この際に、防塵用シャッタ３０の左側部３３ａ及び右側部３３ｂの先端は、メモリカード２１１の両側部の上向き面に接触し、メモリカード２１１の上向き面から突出する鍔２１２が図６に示す場合と同様に防塵用シャッタ３０の切欠き３４を越えて切欠き３４の端面に形成された傾斜面３４ａよりも内方に位置する。
【００４０】
そして、表裏逆さまに誤挿入されたメモリカード２１１を抜き出す際には、防塵用シャッタ３０の左側部３３ａ及び右側面の先端がメモリカード２１１の両側部の上向き面に接するとともに、メモリカード２１１の上向き面から突出する鍔２１２の上角部が、図６に示す場合と同様に、防塵用シャッタ３０の切欠き３４の端面に形成された傾斜面３４ａに当接する。このとき、メモリカード２０１を抜き出す力Ｆ１に対して防塵用シャッタ３０を図６における矢印Ｒ方向に回動させる分力Ｗ１が発生し、防塵用シャッタ３０が図６における矢印Ｒ方向に回動し、防塵用シャッタ３０の下端の切欠き３４の端面に形成された傾斜面３４ａが鍔２１２を乗り越える。このため、防塵用シャッタ３０の下端がメモリカード２１１の鍔２１２に引っかからないカードコネクタ１とすることができる。そして、メモリカード２１１の抜き出しが終了すると、防塵用シャッタ３０は、ストッパ３６が側壁１６の所定部分に当接するまで外方（図６における矢印Ｒ方向と反対方向）に回動する。
【００４１】
最後に、図１４に示すメモリカード２１１を第１カードスロット１１に表裏逆さまに誤挿入しそして抜き出す際の作用について説明する。
カードコネクタ１にＰＣカード及びメモリカード２０１、２１１が挿入されていない状態で、スロット部１０の第１カードスロット１１に図１４に示すメモリカード２１１を表裏逆さまに誤挿入すると、防塵用シャッタ３０は、挿入されたメモリカード２１１に押圧されてストッパ３６が側壁１６の所定部分に当接している状態から内方（図７における矢印Ｒ方向と同一の方向）に回動してスロット部１０の内方に退避する。この際に、防塵用シャッタ３０の左側部３３ａ及び右側部３３ｂの先端は、メモリカード２１１の両側部の上向き面に接触し、メモリカード２１１の上向き面から突出する鍔２１２が防塵用シャッタ３０の切欠き３４を越えて切欠き３４の端面に形成された傾斜面３４ａよりも内方に位置する。
【００４２】
そして、表裏逆さまに誤挿入されたメモリカード２１１を抜き出す際には、防塵用シャッタ３０の左側部３３ａ及び右側部３３ｂの先端がメモリカード２１１の両側部の上向き面に接するとともに、メモリカード２１１の上向き面から突出する鍔２１２の上角部が、図７に示す場合と同様に、防塵用シャッタ３０の切欠き３４の端面に形成された傾斜面３４ａに当接する。このとき、メモリカード２１１を抜き出す力Ｆ２に対して防塵用シャッタ３０を図７における矢印Ｒ方向に回動させる分力Ｗ２が発生し、防塵用シャッタ３０が図７における矢印Ｒ方向と同様の方向に回動し、防塵用シャッタ３０の下端の切欠き３４の端面に形成された傾斜面３４ａが鍔２１２を乗り越える。このため、防塵用シャッタ３０の下端がメモリカード２１１の鍔２１２に引っかからないカードコネクタ１とすることができる。そして、メモリカード２１１の抜き出しが終了すると、防塵用シャッタ３０は、ストッパ３６が側壁１６の所定部分に当接するまで外方（図７における矢印Ｒ方向と反対方向）に回動する。
【００４３】
なお、防塵用シャッタ３０の左側部３３ａ及び右側部３３ｂの先端はＲ面３５で形成されているので、ＰＣカード、メモリカード２０１及び２１１の抜き出しを行う際に、カードを滑らかかつ円滑に抜き出すことができる。
以上、本発明の実施形態について説明してきたが、本発明はこれに限定されずに種々の変更、改良を行うことができる。
例えば、Ｒ面３５は、防塵用シャッタ３０の左側部３３ａ及び右側部３３ｂの先端に形成されているが、必ずしも両側部３３ａ、３３ｂの先端に形成する必要はなく、スロット部１０に挿入されたメモリカード２０１の上向き面に接する側部３３ａのみ（少なくとも側部３３ａ）の先端がＲ面で形成されていればよい。
【００４４】
更に、本実施形態にあっては、ＰＣカードを受容する第１カードスロットとメモリカード２０１，２１１を受容する第２カードスロットとを備えたいわゆるダブルスロット型のスロット部１０としてあるが、下面前端に両側端からそれぞれ所定距離の範囲を除く範囲に鍔が形成されたカードを受容するスロット部であれば、シングルスロット型のスロット部としてもよい。
【図面の簡単な説明】
【００４５】
【図１】本発明に係るカードコネクタの実施形態を示し、（Ａ）は平面図、（Ｂ）は正面図である。
【図２】図１のカードコネクタを示し、（Ａ）は左側面図、（Ｂ）は右側面図である。
【図３】図１のカードコネクタの底面図である。
【図４】防塵用シャッタを示し、（Ａ）は平面図、（Ｂ）は正面図、（Ｃ）は左側面図である。
【図５】図４の防塵用シャッタを示し、（Ａ）は図４（Ｂ）における５Ａ−５Ａ線に沿う断面図、（Ｂ）は図４（Ｂ）における５Ｂ−５Ｂ線に沿う断面図、（Ｃ）は図４（Ｂ）における５Ｃ−５Ｃ線に沿う断面図である。
【図６】第２カードスロットから表裏逆さまに誤挿入されたメモリカードを引き抜く際における防塵用シャッタの動作を説明するための説明図である。
【図７】第１カードスロットから表裏逆さまに誤挿入されたメモリカードを引き抜く際における防塵用シャッタの動作を説明するための説明図である。
【図８】従来例のカードコネクタの平面図である。
【図９】図８に示すカードコネクタの正面図である。
【図１０】図８に示すカードコネクタの左側面図である。
【図１１】図８に示すカードコネクタから防塵用シャッタを取り除いた状態の平面図である。
【図１２】カードを引き抜く際における、カードの表面に形成された突起と防塵用シャッタの下端との関係を説明するための説明図である。
【図１３】エキスプレスカードと呼ばれるメモリカードの一例を示し、（Ａ）は表面側から見た斜視図、（Ｂ）は裏面側から見た斜視図である。
【図１４】エキスプレスカードと呼ばれるメモリカードの他の例を示し、（Ａ）は表面側から見た斜視図、（Ｂ）は裏面側から見た斜視図である。
【図１５】図８乃至図１２に示すカードコネクタと同形態のカードコネクタに対し、図３あるいは図１４に示すメモリカードが表裏逆さまに誤挿入され、その抜き出しを行う際の防塵用シャッタの作用を説明するための説明図である。
【符号の説明】
【００４６】
１  カードコネクタ
１０  スロット部
２０  コネクタ部
３０  防塵用シャッタ
３１  回動軸
３３ａ  左側部
３３ｂ  右側部
３４  切欠き
３４ａ  傾斜面
３５  Ｒ面
２０１  メモリカード（カード）
２０２  鍔
２１１  メモリカード（カード）
２１２  鍔
【図１】
2007179814.tif 000003
【図２】
2007179814.tif 000004
【図３】
2007179814.tif 000005
【図４】
2007179814.tif 000006
【図５】
2007179814.tif 000007
【図６】
2007179814.tif 000008
【図７】
2007179814.tif 000009
【図８】
2007179814.tif 000010
【図９】
2007179814.tif 000011
【図１０】
2007179814.tif 000012
【図１１】
2007179814.tif 000013
【図１２】
2007179814.tif 000014
【図１３】
2007179814.tif 000015
【図１４】
2007179814.tif 000016
【図１５】
2007179814.tif 000017